(57)【要約】【課題】  拡散符号が少なくなることなく、符号化による冗長ビットの発生を招くことなく、送信空間ダイバーシチを実現可能な無線通信システムを提供する。【解決手段】  無線通信システムは、送信側装置（１）において複数の送信アンテナ（１４，１５）から送信した信号を、受信側装置（２）にて複数の送信アンテナ（１４，１５）各々からの信号を分解する。送信側装置（１）は、複数の送信アンテナ（１４，１５）から送信する信号を同一の拡散符号を使用して拡散する拡散処理手段（１１）と、当該拡散符号の自己相関特性から算出した遅延値を基に複数の送信アンテナ（１４，１５）から送信する信号の送信時間をずらして送信するための遅延手段（１３）とを有する。【選択図】      図１
2011171865.tif 000002
【特許請求の範囲】
【請求項１】
送信側装置において複数の送信アンテナから送信した信号を、受信側装置にて前記複数の送信アンテナ各々からの信号を分解する無線通信システムであって、
前記送信側装置は、前記複数の送信アンテナから送信する信号を同一の拡散符号を使用して拡散する拡散処理手段と、当該拡散符号の自己相関特性から算出した遅延値を基に前記複数の送信アンテナから送信する信号の送信時間をずらして送信するための遅延手段とを有することを特徴とする無線通信システム。
【請求項２】
前記送信側装置は、前記拡散符号と当該拡散符号の自己相関特性から算出した遅延値とを対応付けて保持する遅延テーブルと、前記拡散処理手段で用いる拡散符号に対応する遅延値を前記遅延テーブルから取出して前記遅延手段に設定する遅延制御手段を含むことを特徴とする請求項１記載の無線通信システム。
【請求項３】
前記送信側装置は、前記拡散符号としてＭ系列を使用し、前記Ｍ系列のある拡散符号において自己相関特性を取得しておき、当該自己相関特性から算出した遅延値を前記遅延テーブルに保持することを特徴とする請求項２記載の無線通信システム。
【請求項４】
前記自己相関特性において、「１×ｄｅｌａｙ〜（送信アンテナ数−１）×ｄｅｌａｙ」のところで「自己相関値が全て−１となるｄｅｌａｙ値」を求め、当該「ｄｅｌａｙ値」を前記遅延値とすることを特徴とする請求項１から請求項３のいずれか記載の無線通信システム。
【請求項５】
上記の請求項１から請求項４のいずれかに記載の送信側装置の手段を含むことを特徴とする送信側装置。
【請求項６】
送信側装置において複数の送信アンテナから送信した信号を、受信側装置にて前記複数の送信アンテナ各々からの信号を分解する無線通信システムに用いる送信空間ダイバーシチ方法であって、
前記送信側装置が、前記複数の送信アンテナから送信する信号を同一の拡散符号を使用して拡散する拡散処理処理と、当該拡散符号の自己相関特性から算出した遅延値を基に前記複数の送信アンテナから送信する信号の送信時間をずらして送信するための遅延処理とを実行することを特徴とする送信空間ダイバーシチ方法。
【請求項７】
前記送信側装置に、前記拡散符号と当該拡散符号の自己相関特性から算出した遅延値とを対応付けて保持する遅延テーブルを配設し、
前記送信側装置が、前記拡散処理処理で用いる拡散符号に対応する遅延値を前記遅延テーブルから取出して前記遅延処理に設定する遅延制御処理を実行することを特徴とする請求項６記載の送信空間ダイバーシチ方法。
【請求項８】
前記送信側装置が、前記拡散符号としてＭ系列を使用し、前記Ｍ系列のある拡散符号において自己相関特性を取得しておき、当該自己相関特性から算出した遅延値を前記遅延テーブルに保持することを特徴とする請求項７記載の送信空間ダイバーシチ方法。
【請求項９】
前記自己相関特性において、「１×ｄｅｌａｙ〜（送信アンテナ数−１）×ｄｅｌａｙ」のところで「自己相関値が全て−１となるｄｅｌａｙ値」を求め、当該「ｄｅｌａｙ値」を前記遅延値とすることを特徴とする請求項６から請求項８のいずれか記載の送信空間ダイバーシチ方法。
【発明の詳細な説明】
【技術分野】
【０００１】
本発明は無線通信システム、送信側装置及びそれらに用いる送信空間ダイバーシチ方法に関し、特に送信空間ダイバーシチを実現する方法に関する。
【背景技術】
【０００２】
ダイバーシチとは、例えば複数のアンテナから送信した無線信号について、受信側で受信した無線信号を合成してノイズを除去したりすることによって、通信の質や信頼性の向上を図る技術である。
【０００３】
無線空間において、送信空間ダイバーシチを実現するためには、各送信アンテナから送信された信号を受信側で分解する必要がある。この信号を分解する方法としては、それぞれのアンテナから異なる拡散符号を使用して送信する方法（例えば、特許文献１参照）や送信信号を符号化する方法（例えば、特許文献２参照）がある。
【先行技術文献】
【特許文献】
【０００４】
【特許文献１】特開２００４−２５３９２５号公報
【特許文献２】特開２００５−０１２３５７号公報
【発明の概要】
【発明が解決しようとする課題】
【０００５】
しかしながら上述した送信空間ダイバーシチを実現する方法では、信号を分解する方法として、異なる拡散符号を使用する場合に、使用できる拡散符号が少なくなるという問題があり、送信信号を符号化する場合に、符号化による冗長ビットが発生するという問題がある。
【０００６】
そこで、本発明の目的は上記の問題点を解消し、拡散符号が少なくなることなく、符号化による冗長ビットの発生を招くことなく、送信空間ダイバーシチを実現することができる無線通信システム、送信側装置及びそれらに用いる送信空間ダイバーシチ方法を提供することにある。
【課題を解決するための手段】
【０００７】
本発明による無線通信システムは、送信側装置において複数の送信アンテナから送信した信号を、受信側装置にて前記複数の送信アンテナ各々からの信号を分解する無線通信システムであって、
前記送信側装置は、前記複数の送信アンテナから送信する信号を同一の拡散符号を使用して拡散する拡散処理手段と、当該拡散符号の自己相関特性から算出した遅延値を基に前記複数の送信アンテナから送信する信号の送信時間をずらして送信するための遅延手段とを備えている。
【０００８】
本発明による送信側装置は、上記に記載の送信側装置の手段を含むことを特徴とする。
【０００９】
本発明による送信空間ダイバーシチ方法は、送信側装置において複数の送信アンテナから送信した信号を、受信側装置にて前記複数の送信アンテナ各々からの信号を分解する無線通信システムに用いる送信空間ダイバーシチ方法であって、
前記送信側装置が、前記複数の送信アンテナから送信する信号を同一の拡散符号を使用して拡散する拡散処理処理と、当該拡散符号の自己相関特性から算出した遅延値を基に前記複数の送信アンテナから送信する信号の送信時間をずらして送信するための遅延処理とを実行している。
【発明の効果】
【００１０】
本発明は、上記のような構成及び動作とすることで、拡散符号が少なくなることなく、符号化による冗長ビットの発生を招くことなく、送信空間ダイバーシチを実現することができるという効果が得られる。
【図面の簡単な説明】
【００１１】
【図１】本発明の実施の形態による無線通信システムの構成例を示すブロック図である。
【図２】本発明の実施の形態に用いる拡散符号の自己相関特性を示す図である。
【発明を実施するための形態】
【００１２】
次に、本発明の実施の形態について図面を参照して説明する。まず、本発明による無線通信システムの概略について説明する。本発明による無線通信システムは、送信側において、同一の拡散符号を使用するが、それぞれの送信時間をずらすことにより、受信側で各送信アンテナからの信号の分解を目指している。
【００１３】
本発明による無線通信システムは、移動体通信システムや無線ＬＡＮ（Ｌｏｃａｌ  Ａｒｅａ  Ｎｅｔｗｏｒｋ）システム等に適用することができる。移動体通信システムの場合は、送信側が基地局となり、受信側が移動体端末となる。また、無線ＬＡＮシステムの場合は、送信側が親局（アクセスポイント）となり、受信側が子局となる。
【００１４】
本発明による無線通信システムの動作について、以下説明する。
【００１５】
本発明による無線通信システムでは、拡散符号としてＭ系列［最大周期シフトレジスタ（Ｍａｘｉｍｕｍ  ｌｅｎｇｔｈ  ｓｈｉｆｔ  ｒｅｇｉｓｔｅｒ）系列］を使用する。本発明による無線通信システムでは、Ｍ系列のある拡散符号において、自己相関特性を取得しておく。
【００１６】
本発明による無線通信システムでは、自己相関特性において、「１×ｄｅｌａｙ〜（送信アンテナ数−１）×ｄｅｌａｙ」のところで、「自己相関値が全て−１となるｄｅｌａｙ値」を求める。自己相関特性からの「自己相関値が全て−１となるｄｅｌａｙ値」の算出は、アンテナ数に応じて順次演算していくことで容易に算出することができるので、その説明については省略する。
【００１７】
例えば、ｄｅｌａｙ値が「２２」であれば、各送信アンテナにおいて、片方のアンテナからはｄｅｌａｙなしとして送信し、もう一方のアンテナからは、２２ｃｈｉｐ分ｄｅｌａｙして送信する。
【００１８】
受信アンテナにおいて、信号を逆拡散する際には、ｄｅｌａｙを予め報知された「１×ｄｅｌａｙ〜（送信アンテナ数−１）×ｄｅｌａｙ」ずつ遅らせて行う。上記の例の場合は、受信信号に対して、ｄｅｌａｙなしで逆拡散するとともに、２２ｃｈｉｐ分ｄｅｌａｙして逆拡散する。その後に、逆拡散した二つの信号を合成する。
【００１９】
これによって、本発明では、それぞれのアンテナから異なる拡散符号を使用して送信する方法や送信信号を符号化する方法を用いることなく、送信空間ダイバーシチを実現することができる。よって、本発明では、異なる拡散符号を使用する場合の使用できる拡散符号が少なくなるという問題、送信信号を符号化する場合の符号化による冗長ビットが発生するという問題を解決することができる。
【００２０】
図１は本発明の実施の形態による無線通信システムの構成例を示すブロック図である。図１において、本発明の実施の形態による無線通信システムは、図示せぬ親局側に配設された無線送信回路１と、図示せぬ子局側に配設された無線受信回路２とから構成されている。
【００２１】
無線送信回路１は、拡散処理部１１と、遅延制御部１２と、遅延回路１３と、送信アンテナ１４，１５とを備えて構成されており、無線受信回路２は、受信アンテナ２１と、逆拡散処理部２２，２４と、遅延回路２３と、合成回路２５とを備えて構成されている。尚、遅延制御部１２は、拡散符号（拡散コード）と遅延値とをさせて保持する遅延テーブル１２１を備えている。
【００２２】
無線送信回路１の拡散処理部１１は、無線受信回路２に送信する信号を予め設定された拡散符号にて拡散し、遅延制御部１２は、拡散処理部１１にて用いた拡散符号に対応する遅延値を遅延テーブル１２１から取出して遅延回路１３に設定する。
【００２３】
拡散処理部１１で拡散された信号は、送信アンテナ１４からそのまま送信されるとともに、遅延回路１３にて遅延制御部１２が設定した遅延値だけ遅らせて送信アンテナ１５から送信される。
【００２４】
無線受信回路２の受信アンテナ２１は、送信アンテナ１４，１５から送信された信号を受信し、受信した信号を逆拡散処理部２２と遅延回路２３とにそれぞれ出力する。逆拡散処理部２２は、入力された信号を無線送信回路１で使用される拡散符号に基づいて逆拡散を行い、逆拡散した信号を合成回路２５に出力する。
【００２５】
遅延回路２３は、入力された信号を無線送信回路１で使用される拡散符号に対応する遅延値だけ遅らせて逆拡散処理部２４に出力する。逆拡散処理部２２は、遅延回路２３から入力された信号を無線送信回路１で使用される拡散符号に基づいて逆拡散を行い、逆拡散した信号を合成回路２５に出力する。合成回路２５は、逆拡散処理部２２，２４でそれぞれ逆拡散された信号を合成して出力する。
【００２６】
図２は本発明の実施の形態に用いる拡散符号の自己相関特性を示す図である。これら図１と図２とを参照して本発明の実施の形態による無線通信システムでの送信空間ダイバーシチの実現について説明する。
【００２７】
まず、本実施の形態では、拡散符号としてＭ系列を使用し、そのＭ系列のある拡散符号において、自己相関特性を取得しておく。本実施の形態では、自己相関特性において、「１×ｄｅｌａｙ〜（送信アンテナ数−１）×ｄｅｌａｙ」のところで、「自己相関値が全て−１となるｄｅｌａｙ値」を求め、その「ｄｅｌａｙ値」をある拡散符号と対応付けて遅延テーブル１２１に保持しておく。
【００２８】
これら「ｄｅｌａｙ値」及び拡散符号は、予め無線受信回路２側に報知しておき、遅延回路２３に設定しておく。尚、報知方法としては、無線送信回路１と無線受信回路２との間に複数の経路が存在する場合には、送信空間ダイバーシチを実現する経路以外の経路にて報知する方法がある。また、他の報知方法としては、電子メール等を用いる方法も考えられる。
【００２９】
さらに、遅延テーブル１２１に保持されている対応表と同じ対応表を無線受信回路２に報知しておき、送信空間ダイバーシチを実現する場合に、拡散符号のみを報知する方法も考えられる。無線受信回路２側では、少なくとも上記の方法のうちのいずれかにて、「ｄｅｌａｙ値」と拡散符号とを予めしっているものとする。
【００３０】
ここで、図２に示す例では、送信アンテナ数を「２」とした場合の拡散符号の自己相関特性を示しており、「ｄｅｌａｙ値」が「２２」の時に拡散符号の自己相関値が全て−１となる。
【００３１】
自己相関特性からの「自己相関値が全て−１となるｄｅｌａｙ値」の算出は、アンテナ数に応じて順次演算していくことで容易に算出することができるので、その説明については省略する。
【００３２】
例えば、送信アンテナ数を「２」とした場合は、上記のように、図２に示す自己相関特性から、「ｄｅｌａｙ値」が「２２」の時に拡散符号の自己相関値が全て−１となる。また、送信アンテナ数を「３」とした場合は、図２に示す自己相関特性から、「ｄｅｌａｙ値」が「２２」、「４４」の時に拡散符号の自己相関値が全て−１となる。
【００３３】
例えば、上記のように、「ｄｅｌａｙ値」が「２２」であれば、各送信アンテナにおいて、片方のアンテナ（送信アンテナ１４）からは「ｄｅｌａｙなし」として送信し、もう一方のアンテナ（送信アンテナ１５）からは、「２２ｃｈｉｐ分ｄｅｌａｙ」して送信する。
【００３４】
受信アンテナ２１において、信号を逆拡散する際には、「ｄｅｌａｙ」を「１×ｄｅｌａｙ〜（送信アンテナ数−１）×ｄｅｌａｙ」ずつ遅らせて逆拡散を行う。
【００３５】
上記の例の場合は、受信アンテナ２１における受信信号に対して、逆拡散処理部２２にて「ｄｅｌａｙなし」で逆拡散するとともに、逆拡散処理部２４にて「２２ｃｈｉｐ分ｄｅｌａｙ」して逆拡散する。その後、合成回路２５は、逆拡散処理部２２，２４にてそれぞれ逆拡散した二つの信号を合成する。
【００３６】
これによって、本実施の形態では、それぞれのアンテナ（送信アンテナ１４，１５）から異なる拡散符号を使用して送信する方法や送信信号を符号化する方法を用いることなく、送信空間ダイバーシチを実現することができる。
【００３７】
よって、本実施の形態では、異なる拡散符号を使用する場合の使用できる拡散符号が少なくなるという問題、送信信号を符号化する場合の符号化による冗長ビットが発生するという問題を解決することができる。
【産業上の利用可能性】
【００３８】
本発明は、上記の本実施の形態において親局と子局とからなる無線通信システムに適用する場合について説明しているが、移動体通信システムや無線ＬＡＮシステム等にも適用することが可能である。
【符号の説明】
【００３９】
１  無線送信回路
２  無線受信回路
１１  拡散処理部
１２  遅延制御部
１３，２３  遅延回路
１４，１５  送信アンテナ
２１  受信アンテナ
２２，２４  逆拡散処理部
２５  合成回路
１２１  遅延テーブル
【図１】
2011171865.tif 000003
【図２】
2011171865.tif 000004